(57)【要約】【課題】  目覚しとしての能力が一般的な目覚し時計と比べて数段高い目覚し機能を備えたＡＶ装置を提供する。【解決手段】  映像および音声の出力制御並びに時刻設定が可能なＡＶ装置であって、設定時刻になったことに基づき目覚し動作として映像音声出力のオン動作と映像出力により質問を出力させるタイマ手段と、目覚し動作の間に少なくとも電源のオフ操作を無効にする操作制限手段と、目覚し動作で出力される前記質問の解答に相当する操作があった場合に目覚し動作を解除する目覚し解除手段と、前記目覚し動作で出力される前記質問の難易度を予め設定可能な設定手段とを備えたＡＶ装置である。【選択図】        図２
2006013939.tif 000002
【特許請求の範囲】
【請求項１】
映像および音声の出力制御並びに時刻設定が可能なＡＶ装置であって、
設定時刻になったことに基づき映像音声出力のオン動作と映像出力により質問を出力させる動作とを含む目覚し動作を始動させるタイマ手段と、
前記目覚し動作の間に少なくとも電源のオフ操作を無効にする操作制限手段と、
前記目覚し動作で出力される前記質問の解答に相当する操作があった場合に目覚し動作を解除する目覚し解除手段と、
前記目覚し動作で出力される前記質問の難易度を予め設定可能な設定手段と、
を備えたことを特徴とするＡＶ装置。
【請求項２】
映像出力手段および音声出力手段と、
設定時刻に目覚し動作を始動させるタイマ手段とを備え、
設定時刻に達したときに前記目覚し動作として前記映像出力手段および音声出力手段を起動させるとともに前記映像出力手段により質問を出力させるように構成されていることを特徴とするＡＶ装置。
【請求項３】
前記目覚し動作の間に少なくとも電源のオフ操作を無効にする操作制限手段と、
前記目覚し動作で出力される前記質問の解答に相当する操作があった場合に目覚し動作を解除する目覚し解除手段と、
を備えたことを特徴とする請求項２記載のＡＶ装置。
【請求項４】
前記目覚し動作で出力される前記質問の難易度を予め設定可能な設定手段を備えたことを特徴とする請求項２又は３に記載のＡＶ装置。
【発明の詳細な説明】
【技術分野】
【０００１】
この発明は、映像音声の出力を行うテレビジョン装置、或いは、このようなテレビジョン装置の出力制御を行うチューナ装置および録画再生装置などのＡＶ（オーディオ・ビジュアル）装置に関する。
【背景技術】
【０００２】
従来、テレビ放送の受信出力を行うテレビジョン装置において、設定時刻に自動的に電源をオンさせて目覚し時計として機能させる幾つかの提案がなされている（例えば特許文献１〜３）。
【０００３】
このうち、特許文献１の技術は、自動的に電源オンとされたときに出力されるテレビ放送のチャンネルが前回電源オフしたときのチャンネルになるように構成したものである。また、特許文献２の技術は、自動的に電源オンとされたときに出力されるテレビ放送のチャンネルや音量を予め設定しておけるようにしたものである。
【０００４】
また、特許文献３の技術は、２度寝を防止するために、設定時刻になって電源オンされた後、キー操作により一旦動作オフとしても、再び、所定時間（例えば５分）の経過したときに電源オンとなる機能を付加したり、電源オンしたときに次第に音量が大きくなるスヌーズ機能を付加したり、或いは、設定時刻で電源オンした後に所定のキー操作が行われるまで電源オフの操作を受け付けない機能などを付加したものである。
【特許文献１】実開平０５−０４３６７１号公報
【特許文献２】実開平０５−０５３３７７号公報
【特許文献３】特開平９−６１５６２号公報
【発明の開示】
【発明が解決しようとする課題】
【０００５】
上記のように、テレビジョン装置を目覚し時計の替わりに使用する技術は以前よりあったが、ユーザの目を覚まさせるという能力に注目してみると、例えば、テレビジョン装置の目覚し機能はリモコンで簡単に停止できるなど、目覚し時計と比較して同等又はそれ以下の能力でしかなかった。
【０００６】
本発明者は、このような実情に鑑み、テレビジョン装置を用いてもっと効果的な目覚し機能を実現できないか検討を行った。そして、従来のテレビジョン装置の目覚し機能では、例えば、ユーザが蒲団をかぶったままリモコン操作をして目覚し動作が止められるなど、テレビジョン装置の特徴である映像出力が目覚し動作として有効に働いていないことに気が付いた。
【０００７】
この発明の目的は、目覚しとしての能力が一般的な目覚し時計と比べて数段高い目覚し機能を備えたＡＶ装置を提供することある。
【課題を解決するための手段】
【０００８】
本発明は、上記目的を達成するため、映像出力手段および音声出力手段と、設定時刻に目覚し動作を始動させるタイマ手段とを備え、前記設定時刻に達したときに前記目覚し動作として前記映像出力手段および音声出力手段を起動させるとともに前記映像出力手段により質問（例えば四則演算の問題や歴史や雑学に関する選択問題など）を出力させる構成とした。
【０００９】
このような手段によれば、目覚し動作として映像出力により質問が出力されるので、ユーザはこの質問に答えるために映像出力を見なければならず、映像を注視することで目からの刺激を受けるとともに質問に解答するという脳の運動が生じて、強い覚醒作用を得ることが出来る。
【００１０】
望ましくは、前記目覚し動作の間に少なくとも電源のオフ操作を無効にする操作制限手段と、前記目覚し動作で出力される前記質問の解答に相当する操作があった場合に目覚し動作を解除する目覚し解除手段とを備えると良い。
【００１１】
このような手段により、ユーザは質問に解答するまで映像音声出力がされ続けるので、確実な目覚し効果が奏される。
【００１２】
また望ましくは、前記目覚し動作で出力される前記質問の難易度を予め設定可能とする設定手段を備えると良い。これにより、子供から大人まで自分に合った質問の難易度を設定して、ユーザに適した目覚し機能を得ることが出来る。
【発明の効果】
【００１３】
以上説明したように、本発明に従うと、ユーザは設定時刻に自動的にオンされた映像音声の出力を止めるのに映像出力された質問に解答しなければならないので、その映像出力の注視により強い覚醒作用が及ぼされ、一般的な目覚し時計と比べて数段高い目覚し効果が得られるという効果がある。
【発明を実施するための最良の形態】
【００１４】
以下、本発明の実施の形態を図面に基づいて説明する。
【００１５】
図１は、本発明の実施の形態のＡＶ装置としてのテレビジョン装置の内部構成を示すブロック図である。
【００１６】
この実施の形態のテレビジョン装置１は、アンテナ１００に接続され選択的に或るチャンネルの放送信号を入力するチューナ部１０と、放送信号から音声信号を復調および出力する音声処理部１１と、この音声信号に基づき音声出力をするスピーカ１２と、放送信号から映像信号を復調および出力する映像処理部１３と、この映像信号を受けて映像出力を行う例えばプラズマディスプレイなどの映像出力部１４と、映像処理部１３内にて映像信号に文字や記号等の表示信号を埋め込むＯＳＤ（On Screen Display）処理部１３ａと、複数の操作キーを有しユーザからの操作入力を受けるキー操作部１５と、複数の操作キーを有するリモコン２０と、リモコン２０からの信号を受信する受信部１６と、各部に電源電圧を供給する電源回路１７と、例えば外部電源の交流周波数等に基づき現在時刻をカウントするタイマ回路１８と、キー操作部１５や受信部１６からの信号を入力して、音声信号の増幅計数の制御、ＯＳＤ処理部１３ａによる文字や記号の表示制御、および電源回路１７の制御等を行うマイクロコントローラ１９等から構成される。
【００１７】
マイクロコントローラ１９には、図示は省略するが、不揮発性メモリ、ＲＡＭ（Random Access Memory）、ＣＰＵ（Central Processing Unit）などが設けられ、不揮発性メモリに記憶されている制御プログラムに従って、各種の制御動作を行うようになっている。
【００１８】
上記の構成のうち、マイクロコントローラ１９と制御プログラムおよびタイマ回路１８によりタイマ手段が、マイクロコントローラ１９と制御プログラムにより操作制限手段、目覚し解除手段、並びに、設定手段が構成されている。また、チューナ部１０と音声処理部１１により音声出力手段が、チューナ部１０と映像処理部１３により映像出力手段が構成されている。
【００１９】
次に、上記構成のテレビジョン装置１に備わる目覚し機能について説明する。
【００２０】
図２には、目覚し動作時の出力画像の一例を示す。
【００２１】
この実施の形態に係る目覚し機能は、予め所定の内容設定をしておくことで、設定時刻になったときに後述の目覚し動作が実行されるものである。すなわち、目覚し機能がオンに設定されていると、電源がオフの状態でもマイクロコントローラ１９がタイマ回路１８の出力を監視し、設定時刻になった場合に、目覚し動作の処理に移行する。
【００２２】
目覚し動作が開始されると、先ず、マイクロコントローラ１９は電源回路１７を制御して各部へ電源電圧を供給させ、次いで、チューナ部１０に制御信号を出力して設定チャンネルの放送信号を受信させるととも、音声処理部に制御信号を出力して音量を設定値に調整する。これらの制御により、設定チャンネルの放送出力が映像出力部１４とスピーカ１２とから行われ、且つ、音声出力は設定された音量で行われる。
【００２３】
次に、マイクロコントローラ１９は、擬似乱数を使って所定桁数の乱数同士の四則演算の問題を生成し、この問題の文字情報をＯＳＤ処理部１３ａに出力して、図２（ａ）に示すように映像出力部１４に問題を表示させる。なお、図２では映像出力部１４に問題の表示のみが行われているが、問題表示の背景にはテレビ放送の映像が流れている。
【００２４】
また、目覚し動作が開始されると、マイクロコントローラ１９は、キー操作部１５や受信部１６からの操作信号のうち、例えは、数字キー、移動キー、取消キー、決定キーなど特定の信号のみを有効とし、電源キーや音量調整キーなどその他の操作キーの信号を無効とする（すなわち、その信号に基づく動作を行わない）ように操作内容の設定を変更する。そして、この状態でユーザからの操作キーの入力を待機する。
【００２５】
ここで、ユーザが四則問題を解いてその解答をリモコン２０の数字キーや決定キー等を用いて入力すると、この入力がマイクロコントローラ１９に受け付けられて、問題の解答の欄にその入力された数字が表示される。そして、マイクロコントローラ１９がその解答が正解か否か判別し、誤答であればユーザの入力数字を消して再び操作キーの入力を待機し受け付ける処理を繰り返す。一方、正解であれば、目覚し動作を解除して、問題の表示を終了させるとともに、電源キーや音量調整キーなど無効としていた操作キーの入力を有効なものに設定を戻す。
【００２６】
従って、ユーザは目覚し動作が開始されてから問題を解くまでは、テレビ音量を小さくしたり電源をオフしたりすることは出来ず、問題を解いた後にテレビ音量を小さくしたり電源をオフしたりすることが可能となる。
【００２７】
なお、上記目覚し動作時に出力される問題の形式は、図２（ａ）のものに限られず、例えば図２（ｂ）に示すように選択式の問題としても良い。また、問題内容も四則演算に限られず、例えば、歴史問題や雑学問題などとしても良い。そのような問題内容の場合には、例えば、テレビジョン装置１にインターネットに接続可能な構成を付加するとともに、問題文と解答のデータをインターネットを介して所定のサイトからダウンロード可能なように構成しても良い。
【００２８】
図３には、目覚しモードの内容設定時の出力画像図を示す。
【００２９】
この実施の形態のテレビジョン装置においては、上述の目覚し機能について予めいくつかの動作内容の設定を行っておくことが可能になっている。設定画面は、例えば、リモコン２０のメニューボタンを操作して目覚しモード設定を選択することで呼び出すことが出来る。
【００３０】
目覚しモードの設定には、図３に示すように、目覚し機能のオン・オフの設定、目覚し時刻の設定、目覚し動作のときに出力される放送チャンネルの設定、そのときの音量設定、目覚し動作を解除するまでに解く問題数の設定、問題の難易度の設定がある。
【００３１】
問題の難易度の設定は、四則演算の問題を乱数を用いて作成する際に、例えば、各項の桁数を１桁〜４桁に増減したり、演算の項数を増減したり、加減算のほかに乗算を含ませるなどすることで、適宜設定に応じた変更を行う。問題の内容が歴史問題や雑学問題の場合には、予め各問題に難易度の指標を付加しておき、この指標に従って選択的に出題されるようにすることで、設定に応じた難易度の出題を行う。
【００３２】
以上のように、この実施の形態のテレビジョン装置１によれば、その目覚し動作において、ユーザは映像出力された問題を見て解かなければ目覚し動作を止めることが出来ないので、その間に映像を注視することで強い覚醒作用が及ぼされ、一般的な目覚し時計と比較して確実な目覚し効果を得ることが出来る。
【００３３】
また、目覚し動作中に出題される問題は、その難易度の設定変更が可能なので、子供から大人まで各ユーザに合った難易度の問題を出題させて、ユーザに適した目覚し動作を行わせることが出来る。
【００３４】
なお、本発明は、上記実施の形態に限られるものではなく、様々な変更が可能である。例えば、上記実施の形態では、映像音声の出力を行うテレビジョン装置に本発明を適用した例を示したが、その他、テレビジョン装置とケーブル等を介して接続され、このテレビジョン装置の電源のオン・オフ制御や映像音声の出力制御等が可能なチューナ装置や録画再生装置など、種々のＡＶ装置に本発明を適用することも出来る。
【図面の簡単な説明】
【００３５】
【図１】本発明の実施の形態のテレビジョン装置の内部構成を示すブロック図である。
【図２】目覚し動作時の出力画像の一例を示す図である。
【図３】目覚しモードの設定時の出力画像を示す図である。
【符号の説明】
【００３６】
１      テレビジョン装置
１３ａ  ＯＳＤ処理部
１５    キー操作部
１６    リモコン受信部
１７    電源回路
１８    タイマ回路
１９    マイクロコントローラ
２０    リモコン
【図１】
2006013939.tif 000003
【図２】
2006013939.tif 000004
【図３】
2006013939.tif 000005